(57)【特許請求の範囲】
【請求項１】
後傾枠と前傾枠とを枢軸を介して相互に枢着し、後傾枠の左右各構成部材における該枢軸の上方には長さ方向の長孔を穿設し、前傾枠の左右各構成部材における該枢軸の上方には切り欠き部を形成し、後傾枠における該枢軸の上方には重り支持枠を固定具により長孔に沿って位置調節自在に取り付け、該重り支持枠の前端を前傾枠における各切り欠き部に取り外し自在に係止し、該重り支持枠における前記枢軸の後方には重り支持体を取り付け、後傾枠における重り支持枠の上方には釣竿固定手段を備えた後側釣竿支持杆を固定具により長孔に沿って位置調節自在に取り付け、前傾枠における切り欠き部の上方には釣竿固定手段を備えた前側釣竿支持杆を取り付けた釣竿支持具において、
前記後側釣竿支持杆又は前側釣竿支持杆を複数の支持杆構成部材に分割し、各支持杆構成部材には釣竿固定手段として軸方向の縦断面が略円弧状をなし且つ軸方向と直角の横断面が略直線状をなす切り欠き部を備えさせると共に各支持杆構成部材をそれぞれ各別に回動自在としたことを特徴とする釣竿支持具。
【請求項２】
前記後側釣竿支持杆又は前側釣竿支持杆は前記複数の支持杆構成部材をこれらの支持杆構成部材を貫通する単一の支軸に各別に回動自在に支持させたことを特徴とする請求項１の釣竿支持具。
【発明の詳細な説明】
【０００１】
【発明の属する技術分野】
本発明は、岸壁、防波堤、砂浜等において釣を行なう際に釣竿を所望の角度に支持させるようにした釣竿支持具に関するものである。
【０００２】
【従来の技術】
本出願人は特開平７−３２７５６９号公報においてこのような釣竿支持具を提供している。まず、この釣竿支持具（以下「従来の釣竿支持具」という。）について図７〜図１６を参照して説明する。
【０００３】
符号１は後傾枠、符号３は前傾枠である。後傾枠１と前傾枠３とを枢軸５を介して相互に枢着する。後傾枠１の左右各構成部材１ａにおける枢軸５の上方には長さ方向の長孔７を穿設し、前傾枠３の左右各構成部材３ａにおける枢軸５の上方には切り欠き部９（図１６参照）を形成する。後傾枠１における枢軸５の上方には重り支持枠１１を固定具１３により長孔７に沿って位置調節自在に取り付ける。即ち、図１４に示すように、固定具１３として固定ねじを用い、該固定ねじを長孔７に貫通させると共に該固定ねじを重り支持枠１１に設けためねじ体１５に螺合させる。重り支持枠１１の前端１１ａを前傾枠３における各切り欠き部９に取り外し自在に係止する（図１６参照）。重り支持枠１１における前記枢軸５の後方には重り支持体１７を取り付ける。重り支持体１７は袋状体とするが、網状体その他のものであってもよい。１８は重り支持体１７に支持させた石、砂、水などの重りである。
【０００４】
後傾枠１における重り支持枠１１の上方には釣竿固定手段１９を備えた後側釣竿支持杆２１を固定具２３により長孔７に沿って位置調節自在に取り付ける。後側釣竿支持杆２１を固定具２３により長孔７に沿って位置調節自在に取り付けるに当っては、図１２に示すように、固定具２３として固定ねじを用い、該固定ねじを長孔７に貫通させると共に該固定ねじを後側釣竿支持杆２１に設けためねじ体２５に螺合させる。前傾枠３における切り欠き部９の上方には釣竿固定手段２７を備えた前側釣竿支持杆２９を取り付ける。
【０００５】
後側釣竿支持杆２１と前側釣竿支持杆２９は、各杆の中心を回動中心として回動自在となすと共に、図１２、図１５に示すように、釣竿固定手段１９、２７としてそれぞれ複数の凹状切り欠き部を備えてさせている。これら各凹状切り欠き部には釣竿３０に傷が付くことを防止するために適宜スポンジ等の柔軟材３１、３３を表面に取り付けもよい。
【０００６】
また、後側釣竿支持杆２１と前側釣竿支持杆２９は、釣竿固定手段１９、２７として、それぞれ複数の細径部を備えさせてもよい。（図１３参照）
【０００７】
前側釣竿支持杆２９は前傾枠３に回動自在に取り付けたアーム３５の先端に該アーム３５に対して回動自在になるように取り付けると共に前側釣竿支持杆２９が所定の高さまで回動したときに該アーム３５の回動を阻止するストッパー３７を設ける。即ち、前傾枠３の左右各構成部材３ａにおける内側にアーム３５をピン４１を介して回動自在に取り付け、該アーム３５の先端にはピン４３を介して前側釣竿支持杆２９を該アーム３５に対して回動自在になるように取り付ける。図示の事例においては、ピン４３はアーム３５を貫通させて前傾枠３の各構成部材３ａ側に突出させ、その突出端をストッパー３７としている。この事例においては、ストッパー３７が前傾枠３の各構成部材３ａに当接（図１６参照）することによりアーム３５の回動が阻止される。
【０００８】
以上説明した従来の釣竿支持具は、次のような作用をなす。
従来の釣竿支持具を使用する際には、後傾枠１と前傾枠３とを側面略Ｘ状に開き、重り支持枠１１の前端１１ａを前傾枠３における各切り欠き部９に係止すると共に該重り支持枠１１を固定具１３により後傾枠１に固定する。この場合、重り支持枠１１は後傾枠１の長孔７に沿って位置調節自在であるので、該重り支持枠１１が略水平になるように位置調節した上で固定具１３により後傾枠１に固定する。続いて、重り支持枠１１における前記枢軸５の後方に取り付けた重り支持体１７に釣場で入手した石等の適宜の重り１８を支持させる。しかるときは、釣竿支持具は側面略Ｘ状をなし且つ枢軸５の後方に重り１８を備えた状態となるため、釣竿を例えば水平状態の如く釣竿の重心が前方にある状態で支持させた場合でも釣竿支持具は極めて安定する。この状態で後側釣竿支持杆２１と前側釣竿支持杆２９との間に釣竿３０を差し込んでこれを支持させる。釣竿３０は釣竿固定手段１９、２７により固定される。また、後側釣竿支持杆２１は後傾枠１に対し固定具２３により長孔７に沿って位置調節自在に取り付けられており、後側釣竿支持杆２１の位置を長孔７に沿って調節することにより釣竿３０の角度を調節することができる（図９参照）。即ち、後側釣竿支持杆２１を長孔７に沿って下方に動かせば釣竿３０の角度は高くなり、後側釣竿支持杆２１を長孔７に沿って上方に動かせば釣竿３０の角度は低くなる。更に、釣竿３０を前側釣竿支持杆２９と後傾枠１及び前傾枠３の枢軸５との間に差し込むことにより釣竿３０を直立状態に近い高い角度で支持させることも可能である（図１０参照）。また、図１１に示すように、後傾枠１と前傾枠３とを同一平面上に位置するように折り畳むと共に重り支持枠１１をその後部側が若干高くなるように傾斜させた状態で固定具１３により後傾枠１に固定したときには、該重り支持枠１１と後傾枠１（前傾枠３）との間に釣竿３０を載置してこれを持ち運ぶことも可能である。この場合には、後側釣竿支持杆２１を後傾枠１の最上部に固定し、該後側釣竿支持杆２１を把手として使用することができる。釣竿支持具の非使用時には、後傾枠１と前傾枠３と重り支持枠１１とを同一平面上に位置するように折り畳めば（換言すれば図１１に示す状態から重り支持枠１１を後傾枠１、前傾枠３内に折り畳めば）、釣竿支持具は極めてコンパクトな状態となる。
【０００９】
後側釣竿支持杆２１と前側釣竿支持杆２９は釣竿固定手段１９、２７としてそれぞれ複数の凹状切り欠き部を備えており、釣竿３０は後側釣竿支持杆２１と前側釣竿支持杆２９における凹状切り欠き部に嵌め付けることにより固定される。即ち、釣竿３０を後側釣竿支持杆２１と前側釣竿支持杆２９との間に差し込む場合には、図９に示すように後側釣竿支持杆２１をその凹状切り欠き部が下方を向くように回動させると共に前側釣竿支持杆２９をその凹状切り欠き部が上方を向くように回動させる。また、釣竿３０を前側釣竿支持杆２９と後傾枠１及び前傾枠３の枢軸５との間に差し込むことにより釣竿３０を直立状態に近い高い角度で支持させる場合には、前側釣竿支持杆２９をその凹状切り欠き部が略後方を向くように回動させる。なお、後側釣竿支持杆２１と前側釣竿支持杆２９は釣竿固定手段１９、２７としてそれぞれ複数の凹状切り欠き部を備えているため、これらの支持杆に複数本の釣竿３０を支持させることができることはいうまでもない。
【００１０】
後側釣竿支持杆２１と前側釣竿支持杆２９が釣竿固定手段１９、２７としてそれぞれ複数の細径部を備えている場合には、釣竿３０は後側釣竿支持杆２１と前側釣竿支持杆２９における細径部に嵌め付けることにより固定される。なお、後側釣竿支持杆２１と前側釣竿支持杆２９が釣竿固定手段としてそれぞれ複数の細径部を備えている場合には、これらの支持杆２１、２９に複数本の釣竿３０を支持させることができることはいうまでもない。
【００１１】
前側釣竿支持杆２９は、前傾枠３に回動自在に取り付けたアーム３５の先端に該アーム３５に対して回動自在になるように取り付けられているため、前側釣竿支持杆２９はアーム３５の回動中心を中心として回動する。換言すれば、前側釣竿支持杆２９はアーム３５の回動中心を中心として回動させることにより高さを調節することができる。従って、後側釣竿支持杆２１の位置を長孔７に沿って調節することの他に前側釣竿支持杆２９をアーム３５の回動中心を中心として回動させることによっても釣竿３０の角度を調節することが可能となる（図９、図１０参照）。特に、前側釣竿支持杆２９が所定の高さまで回動したときに該アーム３５の回動を阻止するストッパー３７を設けたときには（図１６参照）、釣竿３０をその前端が若干高くなるような角度で支持させる際に好都合である（図１０参照）。
【００１２】
重り支持体１７は袋状体である。この袋状体には重り１８として石の他、砂や水を入れることも可能である。
【００１３】
【発明が解決しようとする課題】
以上説明した従来の釣竿支持具は優れたものではあるが、なお次のような問題があることが判明した。
【００１４】
（イ）図１２、図１５に示す後側釣竿支持杆２１と前側釣竿支持杆２９は釣竿固定手段１９、２７としてそれぞれ複数の凹状切り欠き部を同一方向に備えているが、後側釣竿支持杆２１と前側釣竿支持杆２９はそれぞれ一体のものであるため、複数の凹状切り欠き部の方向を各別に変更することは不可能である。従って、複数本の釣竿をそれぞれ異なる角度で同時に後側釣竿支持杆２１と前側釣竿支持杆２９に支持させることができないという問題が生ずる。即ち、例えば図６に示すように、１本の釣竿３１ａについては後側釣竿支持杆２１と前側釣竿支持杆２９との間に差し込んで該釣竿３１ａを支持させ、別の釣竿３０ｂについては下端を接地させた状態で前側釣竿支持杆２９と後傾枠１及び前傾枠３の枢軸５との間に差し込むことにより該釣竿３０ｂを直立状態に近い高い角度で支持させ、更に別の釣竿３０ｃについては下端を接地させた状態で後側釣竿支持杆２１に斜めに支持させるというように、複数本の釣竿をそれぞれ異なる角度で同時に支持させることはできないのである。
【００１５】
（ロ）一方、図１３に示す後側釣竿支持杆２１と前側釣竿支持杆２９は釣竿固定手段１９、２７として、それぞれ複数の細径部を備えている。これらの細径部は、図１３に示すように、軸方向の縦断面においては円弧状をなすのであるが、この円弧を釣竿３０の円形断面と一致させるためには後側釣竿支持杆２１と前側釣竿支持杆２９はその直径を極めて大きくしなければならない。しかるに、釣竿３０の円形断面と一致するような円弧状縦断面を有する太い支持杆を用いることは適当でない。その結果、図１３に示すように、支持杆は比較的細い丸棒に浅い（釣竿３０の円形断面よりも直径の大きな）円弧状縦断面を形成してなるものにせざるを得ない。また、支持杆の各細径部は軸方向と直角の横断面においては円形をなす。従って、円筒状の釣竿３０は謂わば点で支持杆に支持されることになる。故に、各支持杆に支持された釣竿３０は極めて不安定になるという問題がある。
【００１６】
本発明は上記従来の釣竿支持具における上記問題を解決しようとしてなされたものである。
【００１７】
【課題を解決するための手段】
上記課題を解決するために、本発明は、上記従来の釣竿支持具における後側釣竿支持杆又は前側釣竿支持杆を複数の支持杆構成部材に分割し、各支持杆構成部材には釣竿固定手段として軸方向の縦断面が略円弧状をなし且つ軸方向と直角の横断面が略直線状をなす切り欠き部を備えさせると共に各支持杆構成部材がそれぞれ各別に回動するようにした下記の釣竿支持具を提供する。
【００１８】
（１）後傾枠と前傾枠とを枢軸を介して相互に枢着し、後傾枠の左右各構成部材における該枢軸の上方には長さ方向の長孔を穿設し、前傾枠の左右各構成部材における該枢軸の上方には切り欠き部を形成し、後傾枠における該枢軸の上方には重り支持枠を固定具により長孔に沿って位置調節自在に取り付け、該重り支持枠の前端を前傾枠における各切り欠き部に取り外し自在に係止し、該重り支持枠における前記枢軸の後方には重り支持体を取り付け、後傾枠における重り支持枠の上方には釣竿固定手段を備えた後側釣竿支持杆を固定具により長孔に沿って位置調節自在に取り付け、前傾枠における切り欠き部の上方には釣竿固定手段を備えた前側釣竿支持杆を取り付けた釣竿支持具において、
前記後側釣竿支持杆又は前側釣竿支持杆を複数の支持杆構成部材に分割し、各支持杆構成部材には釣竿固定手段として軸方向の縦断面が略円弧状をなし且つ軸方向と直角の横断面が略直線状をなす切り欠き部を備えさせると共に各支持杆構成部材をそれぞれ各別に回動自在としたことを特徴とする釣竿支持具（請求項１）。
【００１９】
（２）前記後側釣竿支持杆又は前側釣竿支持杆は前記複数の支持杆構成部材をこれらの支持杆構成部材を貫通する単一の支軸に各別に回動自在に支持させることが望ましい（請求項２）。
【００２０】
【作用】
本発明による釣竿支持具は、後側釣竿支持杆と前側釣竿支持杆を除き、前記従来の釣竿支持具と同様の作用をなすものであり、以下、後側釣竿支持杆と前側釣竿支持杆についてのみ作用を説明する。
【００２１】
後側釣竿支持杆又は前側釣竿支持杆における各支持杆構成部材はそれぞれ各別に回動自在であるから、後側釣竿支持杆又は前側釣竿支持杆における一つの支持杆構成部材の切り欠き部に１本の釣竿当接させ、該釣竿を支持杆構成部材に押圧したときには、該支持杆構成部材は切り欠き部を釣竿に密着させる方向に自動的に回動し、切り欠き部を釣竿に密着させる（図５参照）。切り欠き部は軸方向の縦断面が略円弧状をなし且つ軸方向と直角の横断面が略直線状をなすため、切り欠き部のほぼ全面が釣竿に接触する。
このようにして１本の釣竿を一つの支持杆構成部材の切り欠き部に所望の角度で支持させた状態で別の釣竿を別の支持杆構成部材の切り欠き部に別の角度で支持させることができる。従って、例えば図６に示すように、１本の釣竿３１ａについては後側釣竿支持杆２１と前側釣竿支持杆２９との間に差し込んで該釣竿３１ａを支持させ、別の釣竿３０ｂについては下端を接地させた状態で前側釣竿支持杆２９と後傾枠１及び前傾枠３の枢軸５との間に差し込むことにより該釣竿３０ｂを直立状態に近い高い角度で支持させ、更に別の釣竿３０ｃについては下端を接地させた状態で後側釣竿支持杆２１に斜めに支持させるというように、複数本の釣竿をそれぞれ異なる角度で同時に支持させることができる。
【００２２】
【発明の実施の形態】
次に、本発明の実施の形態を添付図面に従って説明する。
本発明の釣竿支持具は、後側釣竿支持杆と前側釣竿支持杆を除き、前記従来の釣竿支持具と同様である。まず、本発明の釣竿支持具のうち前記従来の釣竿支持具と共通する点につき、図７〜図１６を参照して重ねて説明する。以下の説明において、前記従来の釣竿支持具と共通する部分、部材、部品等については前記従来の釣竿支持具に関する説明において使用した符号と同一の符号を用いる。
【００２３】
符号１は後傾枠、符号３は前傾枠である。後傾枠１と前傾枠３とを枢軸５を介して相互に枢着する。後傾枠１の左右各構成部材１ａにおける枢軸５の上方には長さ方向の長孔７を穿設し、前傾枠３の左右各構成部材３ａにおける枢軸５の上方には切り欠き部９（図１６参照）を形成する。後傾枠１における枢軸５の上方には重り支持枠１１を固定具１３により長孔７に沿って位置調節自在に取り付ける。即ち、一例として図１４に示すように、固定具１３として固定ねじを用い、該固定ねじを長孔７に貫通させると共に該固定ねじを重り支持枠１１に設けためねじ体１５に螺合させる。重り支持枠１１の前端１１ａを前傾枠３における各切り欠き部９に取り外し自在に係止する（図１６参照）。重り支持枠１１における前記枢軸５の後方には重り支持体１７を取り付ける。重り支持体１７は一例として袋状体とするが、網状体その他のものであってもよい。１８は重り支持体１７に支持させた石、砂、水などの重りである。
【００２４】
後傾枠１における重り支持枠１１の上方には釣竿固定手段１９を備えた後側釣竿支持杆２１を固定具２３により長孔７に沿って位置調節自在に取り付ける。後側釣竿支持杆２１を固定具２３により長孔７に沿って位置調節自在に取り付けるに当っては、一例として図１２に示すように、固定具２３として固定ねじを用い、該固定ねじを長孔７に貫通させると共に該固定ねじを後側釣竿支持杆２１に設けためねじ体２５に螺合させる。前傾枠３における切り欠き部９の上方には釣竿固定手段２７を備えた前側釣竿支持杆２９を取り付ける。
【００２５】
後側釣竿支持杆２１と前側釣竿支持杆２９は、各杆の中心を回動中心として回動自在となすと共に、図１２、図１５に示すように、釣竿固定手段１９、２７としてそれぞれ複数の切り欠き部を備えてさせている。これら各切り欠き部には釣竿３０に傷が付くことを防止するために適宜スポンジ等の柔軟材３１、３３を表面に取り付けもよい。
【００２６】
また、後側釣竿支持杆２１と前側釣竿支持杆２９のいずれか一方は、釣竿固定手段１９、２７として、それぞれ複数の細径部を備えさせてもよい。（図１３参照）
【００２７】
前側釣竿支持杆２９は前傾枠３に回動自在に取り付けたアーム３５の先端に該アーム３５に対して回動自在になるように取り付けると共に前側釣竿支持杆２９が所定の高さまで回動したときに該アーム３５の回動を阻止するストッパー３７を設けることが望ましい。即ち、一例として、前傾枠３の左右各構成部材３ａにおける内側にアーム３５をピン４１を介して回動自在に取り付け、該アーム３５の先端にはピン４３を介して前側釣竿支持杆２９を該アーム３５に対して回動自在になるように取り付ける。図示の事例においては、ピン４３はアーム３５を貫通させて前傾枠３の各構成部材３ａ側に突出させ、その突出端をストッパー３７としている。この事例においては、ストッパー３７が前傾枠３の各構成部材３ａに当接（図１６参照）することによりアーム３５の回動が阻止される。
【００２８】
本発明の釣竿支持具は、前記従来の釣竿支持具における後側釣竿支持杆２１ないし前側釣竿支持杆２９を改良したものである。後側釣竿支持杆２１と前側釣竿支持杆２９はその両者を下記の如く改良することが望ましいのであるが、本発明においては後側釣竿支持杆２１と前側釣竿支持杆２９のうち少なくとも一方を下記の如く改良する。
【００２９】
本発明の釣竿支持具においては、後側釣竿支持杆２１’又は前側釣竿支持杆２９’を複数の支持杆構成部材２１ａ、２１ａ・・・又は２９ａ、２９ａ・・・に分割し、後側釣竿支持杆２１’又は前側釣竿支持杆２９’をこれら複数の支持杆構成部材２１ａ、２１ａ・・・又は２９ａ、２９ａ・・・により構成させる。図１〜４における符号２１ｂ（２９ｂ）に示すものは後側釣竿支持杆２１’又は前側釣竿支持杆２９’の端部部材である。各支持杆構成部材２１ａ又は２９ａには釣竿固定手段１９又は２７として切り欠き部を備えさせる。切り欠き部１９又は２７は後側釣竿支持杆２１’又は前側釣竿支持杆２９’における軸方向の縦断面において釣竿３０の円形断面に適合する略円弧状をなし且つ軸方向と直角の横断面が略直線状をなす。また、各支持杆構成部材２１ａ、２１ａ・・・又は２９ａ、２９ａ・・・はそれぞれ各別に回動自在である。
【００３０】
各支持杆構成部材２１ａ、２１ａ・・・又は２９ａ、２９ａ・・・をそれぞれ各別に回動自在となすに当っては、各支持杆構成部材２１ａ、２１ａ・・・又は２９ａ、２９ａ・・・をこれらの支持杆構成部材２１ａ、２１ａ・・・又は２９ａ、２９ａ・・・を貫通する単一の支軸５１に各別に回動自在に支持させることが望ましい（図１、図３参照）。この場合には、後側釣竿支持杆２１’においては支軸５１の各端を前記めねじ体２５に取り付けてもよい（図１２参照）。また、前側釣竿支持杆２９’においては支軸５１に前記アーム３５先端のピン４３を兼ねさせてもよい（図１５参照）。符号５３に示すものは後側釣竿支持杆２１’又は前側釣竿支持杆２９’が支軸５１に対し軸方向にずれることを防止するためのストッパーである。
【００３１】
また、各支持杆構成部材２１ａ、２１ａ・・・又は２９ａ、２９ａ・・・をそれぞれ各別に回動自在となすに当っては、図４に示すように、各支持杆構成部材２１ａ又は２９ａをそれぞれ隣接する他の支持杆構成部材２１ａ又は２９ａと各別の短軸５５を介して相互に回動自在に連結してもよい。この場合には後側釣竿支持杆２１’においては両端の支持杆構成部材２１ａ又は２９ａに前記めねじ体２５を備えさせてもよい（図１２参照）。また、前側釣竿支持杆２９’においては両端の支持杆構成部材２１ａ又は２９ａを前記アーム３５先端のピン４３に回動自在に取り付けてもよい（図１５参照）。
【００３２】
【発明の効果】
本発明は下記の如き優れた効果を発揮する。
（１）後側釣竿支持杆又は前側釣竿支持杆を複数の支持杆構成部材に分割し、各支持杆構成部材には釣竿固定手段として切り欠き部を備えさせると共に各支持杆構成部材をそれぞれ各別に回動自在としたため、該支持杆に複数本の釣竿をそれぞれ異なる角度で同時に支持させることができる。
（２）後側釣竿支持杆又は前側釣竿支持杆における各支持杆構成部材はそれぞれ各別に回動自在であるから、後側釣竿支持杆又は前側釣竿支持杆における一つの支持杆構成部材の切り欠き部に１本の釣竿当接させ、該釣竿を支持杆構成部材に押圧したときには、該支持杆構成部材は切り欠き部を釣竿に密着させる方向に自動的に回動し、切り欠き部を釣竿に密着させる。従って、使用者は後側釣竿支持杆又は前側釣竿支持杆における各支持杆構成部材の角度を積極的に調節する必要はない。
（３）各支持杆構成部材には釣竿固定手段として軸方向の縦断面が略円弧状をなし且つ軸方向と直角の横断面が略直線状をなす切り欠き部を備えさせたため、円形断面を有する釣竿は該切り欠き部のほぼ全面に好ましく密着する。
【図面の簡単な説明】
【図１】本発明による釣竿支持具の一例を示す斜視図である。
【図２】後側釣竿支持杆又は前側釣竿支持杆の一例を示す斜視図である。
【図３】同上一後側釣竿支持杆又は前側釣竿支持杆の断面図である。
【図４】後側釣竿支持杆又は前側釣竿支持杆の別の一例を示す断面図である。
【図５】後側釣竿支持杆又は前側釣竿支持杆に釣竿を押圧した状態を示す断面図である。
【図６】本発明による釣竿支持具の側面図である。
【図７】従来の釣竿支持具を示す斜視図である。
【図８】同上釣竿支持具の側面図である。
【図９】同上釣竿支持具の使用状態の一例を示す断面図である。
【図１０】同上釣竿支持具の使用状態の別の一例を示す断面図である。
【図１１】同上釣竿支持具を折り畳んで釣竿を載置した状態を示す側面図である。
【図１２】図８のＸＩＩ−ＸＩＩ線における断面図である。
【図１３】後側釣竿支持杆（前側釣竿支持杆）を示す正面図である。
【図１４】図８のＸＩＶ−ＸＩＶ線における断面図である。
【図１５】前側釣竿支持杆の取り付け状態を示す正面図である。
【図１６】重り支持枠の前端と前傾枠における切り欠き部を示す側面図である。
【符号の説明】
１  後傾枠
１ａ  構成部材
３  前傾枠
３ａ  構成部材
５  枢軸
７  長孔
９  切り欠き部
１１  重り支持枠
１１ａ  前端
１３  固定具
１５  めねじ体
１７  重り支持体
１８  重り
１９  釣竿固定手段
２１  後側釣竿支持杆
２３  固定具
２５  めねじ体
２７  釣竿固定手段
２９  前側釣竿支持杆
３０  釣竿
３１  柔軟材
３３  柔軟材
３５  アーム
３７  ストッパー
４１  ピン
４３  ピン
２１’  後側釣竿支持杆
２１ａ  支持杆構成部材
２１ｂ  端部部材
２９’  前側釣竿支持杆
２９ａ  支持杆構成部材
２９ｂ  端部部材
５１  支軸
５３  ストッパー
５５  短軸
【図１】
0003806786.tif 000002
【図２】
0003806786.tif 000003
【図３】
0003806786.tif 000004
【図４】
0003806786.tif 000005
【図５】
0003806786.tif 000006
【図６】
0003806786.tif 000007
【図７】
0003806786.tif 000008
【図８】
0003806786.tif 000009
【図９】
0003806786.tif 000010
【図１０】
0003806786.tif 000011
【図１１】
0003806786.tif 000012
【図１２】
0003806786.tif 000013
【図１３】
0003806786.tif 000014
【図１４】
0003806786.tif 000015
【図１５】
0003806786.tif 000016
【図１６】
0003806786.tif 000017